(57)【要約】【課題】本発明はパーソナルネットワークのネットワーキング方法及び内部ゲートウェイを提供する。【解決手段】パーソナルネットワーク（６）のカバレッジ内に内部ゲートウェイ（９）を設置し、当該内部ゲートウェイ（９）がパーソナルネットワーク（６）のパーソナルネットワークゲートウェイ（１、２、３、４、５）と接続を確立し、パーソナルネットワーク（６）のカバレッジ外のパーソナルネットワーク装置が当該内部ゲートウェイ（９）によってパーソナルネットワーク（６）に加入される。本発明は、従来パーソナルネットワーク（６）のカバレッジ内に内部ゲートウェイ（９）を追加すること、或いは従来パーソナルネットワーク装置の能力を拡張して内部ゲートウェイ（９）の機能を持たせることによって、パーソナルネットワーク（６）のカバレッジが拡張され、さらに多くのパーソナルネットワーク装置をカバーすることができ、それにより、ユーザーエクスペリエンスを向上させ、パーソナルネットワークの資源及び能力共有の利点を十分に発揮する。【選択図】図２
2014519736.tif 000002
【特許請求の範囲】
【請求項１】
パーソナルネットワークのカバレッジ内に内部ゲートウェイを設定し、前記内部ゲートウェイが前記パーソナルネットワークのパーソナルネットワークゲートウェイと接続を確立することと、
パーソナルネットワークのカバレッジ外のパーソナルネットワーク装置が前記内部ゲートウェイによって前記パーソナルネットワークに加入されることと、を含むパーソナルネットワークのネットワーキング方法。
【請求項２】
前記内部ゲートウェイは短距離通信能力を持ち、前記内部ゲートウェイとそれのカバレッジ内のパーソナルネットワーク装置とは短距離通信技術によって互いに検出して接続を確立し、
前記短距離通信能力はブルートゥース、Ｚｉｇｂｅｅ又はＷＩＦＩを含む請求項１に記載の方法。
【請求項３】
前記パーソナルネットワークのカバレッジ外のパーソナルネットワーク装置が前記パーソナルネットワークに加入された後、前記パーソナルネットワークゲートウェイとの通信が前記内部ゲートウェイによって転送される請求項２に記載の方法。
【請求項４】
前記内部ゲートウェイの設定することは、
内部ゲートウェイを追加することと、
或いは、内部ゲートウェイ能力を持つパーソナルネットワーク装置の内部ゲートウェイ能力を活性化することと、
或いは、内部ゲートウェイ能力を持つパーソナルネットワーク装置を内部ゲートウェイモードに切り替えることと、を含み、
前記内部ゲートウェイ能力は少なくとも短距離通信能力及びデータ転送能力を含む請求項１、２又は３に記載の方法。
【請求項５】
前記内部ゲートウェイはカスケードをサポートし、すなわち、前記内部ゲートウェイはそのほかの内部ゲートウェイによって前記パーソナルネットワークゲートウェイと接続を確立する請求項４に記載の方法。
【請求項６】
パーソナルネットワークに用いられるパーソナルネットワークの内部ゲートウェイであって、
前記内部ゲートウェイとパーソナルネットワークのパーソナルネットワークゲートウェイとの接続を確立するように設定される接続確立モジュールと、
前記内部ゲートウェイと前記パーソナルネットワークゲートウェイとが確立した接続によって、前記パーソナルネットワークのカバレッジ外のパーソナルネットワーク装置を前記パーソナルネットワークに加入するように設定される制御モジュールと、を備えるパーソナルネットワークの内部ゲートウェイ。
【請求項７】
パーソナルネットワークのカバレッジ外のパーソナルネットワーク装置が前記パーソナルネットワークに加入された後、前記パーソナルネットワーク装置と前記パーソナルネットワークゲートウェイとの通信を転送するように設定される通信転送モジュールをさらに備える請求項６に記載の内部ゲートウェイ。
【請求項８】
前記接続確立モジュールはさらに、前記内部ゲートウェイのカバレッジ内のパーソナルネットワーク装置と短距離通信技術によって互いに検出して接続を確立するように設定され、
前記短距離通信技術はブルートゥース、Ｚｉｇｂｅｅ又はＷＩＦＩを含む請求項６に記載の内部ゲートウェイ。
【請求項９】
前記接続確立モジュールはカスケードをサポートし、すなわち、前記内部ゲートウェイはそのほかの内部ゲートウェイによって前記パーソナルネットワークゲートウェイと接続を確立する請求項６に記載の内部ゲートウェイ。
【請求項１０】
前記内部ゲートウェイは、内部ゲートウェイ能力を持つゲートウェイ装置又はパーソナルネットワーク装置であり、
前記内部ゲートウェイ能力は少なくとも短距離通信能力及びデータ転送能力を含む請求項６、７、８又は９に記載の内部ゲートウェイ。
【発明の詳細な説明】
【技術分野】
【０００１】
本発明は、通信技術分野に関し、特にパーソナルネットワークのネットワーキング方法及び内部ゲートウェイに関する。
【背景技術】
【０００２】
科学技術の発展につれて、人々が持つパーソナル装置、例えば、携帯電話、ノートパソコン、ＰＤＡ（パームトップコンピューター）、ＭＰ３プレーヤー、ＭＰ４プレーヤーなどは日々多くなっており、且つこれらの装置の能力は日々強くなっており、ほとんどが短距離通信の能力を持つので、人々は手元のこれらの装置を接続してパーソナルネットワーク（Ｐｅｒｓｏｎａｌ  Ｎｅｔｗｏｒｋ、ＰＮと略称される。）を構成し、それらの装置同士の資源と能力を共有することへの期待が高まっている。
【０００３】
パーソナルネットワークは主としてパーソナルネットワークサーバー、パーソナルネットワークゲートウェイ及びパーソナルネットワーク装置からなり、そのネットワーキング図は図１に示される。図１を参照し、パーソナルネットワーク装置１、パーソナルネットワーク装置２、パーソナルネットワーク装置３はパーソナルネットワークゲートウェイによってパーソナルネットワークサーバーに接続される。
【発明の概要】
【発明が解決しようとする課題】
【０００４】
しかしながら、短距離通信技術の距離制限によって、パーソナルネットワークは図１におけるパーソナルネットワーク装置４とパーソナルネットワーク装置５をカバーすることができない。
【０００５】
要するに、従来技術のパーソナルネットワークには、さまざまな原因、特に短距離通信技術の距離制限によって、パーソナルネットワークはあるいくつかの装置をカバーできないおそれがある技術課題がある。
本発明が解決しようとする技術課題は、パーソナルネットワークのネットワーキング方法及び内部ゲートウェイを提供することにあり、パーソナルネットワークのカバレッジを拡張することである。
【課題を解決するための手段】
【０００６】
上記技術課題を解決するために、本発明はパーソナルネットワークのネットワーキング方法を提供し、
パーソナルネットワークのカバレッジ内に内部ゲートウェイを設置し、前記内部ゲートウェイが前記パーソナルネットワークのパーソナルネットワークゲートウェイと接続を確立することと、
パーソナルネットワークのカバレッジ外のパーソナルネットワーク装置が前記内部ゲートウェイによって前記パーソナルネットワークに加入されることと、を含む。
【０００７】
好ましくは、前記内部ゲートウェイは短距離通信能力を持ち、前記内部ゲートウェイとそのカバレッジ内のパーソナルネットワーク装置とは短距離通信技術によって互いに検出して接続を確立し、
前記短距離通信能力はブルートゥース、Ｚｉｇｂｅｅ又はＷＩＦＩを含むが、それらに限定されない。
【０００８】
好ましくは、前記パーソナルネットワークのカバレッジ外のパーソナルネットワーク装置が前記パーソナルネットワークに加入された後、前記パーソナルネットワークゲートウェイとの通信が前記内部ゲートウェイによって転送される。
【０００９】
好ましくは、前記内部ゲートウェイの設置は、
内部ゲートウェイを追加することと、
或いは、内部ゲートウェイ能力を持つパーソナルネットワーク装置の内部ゲートウェイ能力を活性化することと、
或いは、内部ゲートウェイ能力を持つパーソナルネットワーク装置を内部ゲートウェイモードに切り替えることと、を含み、
前記内部ゲートウェイ能力は少なくとも短距離通信能力及びデータ転送能力を含む。
【００１０】
好ましくは、前記内部ゲートウェイはカスケードをサポートし、すなわち、前記内部ゲートウェイはそのほかの内部ゲートウェイによって前記パーソナルネットワークゲートウェイと接続を確立する。
【００１１】
本発明はパーソナルネットワークに用いられるパーソナルネットワークの内部ゲートウェイをさらに提供し、
前記内部ゲートウェイとパーソナルネットワークのパーソナルネットワークゲートウェイとの接続を確立するように設置される接続確立モジュールと、
前記内部ゲートウェイと前記パーソナルネットワークゲートウェイとが確立した接続によって、前記パーソナルネットワークのカバレッジ外のパーソナルネットワーク装置を前記パーソナルネットワークに加入するように設置される制御モジュールと、を備える。
【００１２】
好ましくは、前記内部ゲートウェイは、
パーソナルネットワークのカバレッジ外のパーソナルネットワーク装置が前記パーソナルネットワークに加入された後、前記パーソナルネットワーク装置と前記パーソナルネットワークゲートウェイとの通信を転送するように設置される通信転送モジュールをさらに備える。
【００１３】
好ましくは、前記接続確立モジュールはさらに、前記内部ゲートウェイのカバレッジ内のパーソナルネットワーク装置と短距離通信技術によって互いに検出して接続を確立するように設置され、
前記短距離通信技術はブルートゥース、Ｚｉｇｂｅｅ又はＷＩＦＩを含むが、それらに限定されない。
【００１４】
好ましくは、前記接続確立モジュールはカスケードをサポートし、すなわち、前記内部ゲートウェイはそのほかの内部ゲートウェイによって前記パーソナルネットワークゲートウェイと接続を確立する。
【００１５】
好ましくは、前記内部ゲートウェイは、内部ゲートウェイ能力を持つゲートウェイ装置又はパーソナルネットワーク装置であり、
前記内部ゲートウェイ能力は少なくとも短距離通信能力及びデータ転送能力を含む。
【発明の効果】
【００１６】
本発明の実施例は、従来パーソナルネットワークのカバレッジ内に内部ゲートウェイを追加すること、或いは従来パーソナルネットワーク装置の能力を拡張して内部ゲートウェイの機能を持たせることによって、パーソナルネットワークのカバレッジが拡張され、さらに多くのパーソナルネットワーク装置をカバーすることができ、それにより、ユーザーエクスペリエンスを向上させ、パーソナルネットワークの資源及び能力共有の利点を十分に発揮する。
【図面の簡単な説明】
【００１７】
ここで説明される図面は本発明のさらなる理解を提供するためのもので、本願の一部を構成し、本発明の模式的な実施例及びその説明は本発明を解釈するためのもので、本発明を不適切に制限するものではない。図面において、
【図１】図１は従来技術によるパーソナルネットワークのネットワーキング模式図である。
【図２】図２は本発明の実施形態によるパーソナルネットワークのネットワーキング模式図である。
【図３】図３は本発明の実施形態によるパーソナルネットワークのネットワーキング方法のフローチャートである。
【図４】図４は本発明の実施例１に係るパーソナルネットワークのネットワーキング模式図である。
【図５】図５は本発明の実施例２に係るパーソナルネットワークのネットワーキング模式図である。
【図６】図６は本発明の実施例３に係るパーソナルネットワークのネットワーキング模式図である。
【図７】図７は本発明の実施例４に係るパーソナルネットワークのネットワーキング模式図である。
【発明を実施するための形態】
【００１８】
従来技術による問題を解決するために、図２に示すように、本実施形態において、主として、従来パーソナルネットワークのカバレッジ内に内部ゲートウェイを追加すること、或いは従来パーソナルネットワーク装置の能力を拡張して内部ゲートウェイの機能を持たせることによって達成される。
【００１９】
前記内部ゲートウェイは短距離通信能力を持ち、例えば、ブルートゥース、Ｚｉｇｂｅｅ（ジグビー）又はＷＩＦＩ（ｗｉｒｅｌｅｓｓ  ｆｉｄｅｌｉｔｙ、ワイファイ）などの通信方式をサポートし、パーソナルネットワークゲートウェイ及びパーソナルネットワークのカバレッジ外のパーソナルネットワーク装置と接続されることができる。
【００２０】
それにより、パーソナルネットワークのカバレッジ外のパーソナルネットワーク装置は前記内部ゲートウェイによってパーソナルネットワークゲートウェイと接続を確立し、前記パーソナルネットワークに加入されることができる。
【００２１】
さらに、前記パーソナルネットワーク装置がパーソナルネットワークに加入された後、当該パーソナルネットワーク装置とパーソナルネットワークゲートウェイとの通信が前記内部ゲートウェイによって転送される。
【００２２】
さらに、内部ゲートウェイ同士はカスケード可能で、すなわち、１つの内部ゲートウェイはそのほかの内部ゲートウェイによってパーソナルネットワークゲートウェイと接続を確立することができることによって、パーソナルネットワークの範囲をさらに拡張する。
【００２３】
図３に示すように、本実施形態によるパーソナルネットワークのネットワーキング方法について、具体的な流れは、
パーソナルネットワークのカバレッジ内に内部ゲートウェイを追加し、
或いは、カレントのパーソナルネットワークに内部ゲートウェイ能力を持つパーソナルネットワーク装置があると、当該装置の内部ゲートウェイ能力を活性化してもよく、当該パーソナルネットワーク装置のモードを内部ゲートウェイに切り替えてもよいステップ１と、
内部ゲートウェイがパーソナルネットワークゲートウェイと接続を確立し、
内部ゲートウェイを追加した後、前記内部ゲートウェイがパーソナルネットワークゲートウェイと接続を確立していないと、前記内部ゲートウェイがパーソナルネットワークゲートウェイと接続を確立するステップ２と、
パーソナルネットワークのカバレッジ外のパーソナルネットワーク装置が、内部ゲートウェイのカバレッジ内にあると、内部ゲートウェイと短距離通信技術によって互いに検出し（例えば、ブルートゥースによって相手を検索する。）て接続を確立するステップ３と、
パーソナルネットワーク装置が内部ゲートウェイによってパーソナルネットワークに加入するステップ４と、を含む。
【００２４】
本発明の目的、技術案及びメリットをさらに明確的にするために、以下、図面を参照しながら本発明の実施例を詳細に説明する。ただし、衝突しない場合、本願における実施例及び実施例における特徴は任意に組み合わせることができる。
【００２５】
実施例１
本実施例において、ユーザーＡの家にパーソナルネットワークがあり、図４の左側に示すように、１つのパーソナルネットワークゲートウェイ及び３つのパーソナルネットワーク装置を備える。
【００２６】
ユーザーＡが家に２つのパーソナルネットワーク装置、すなわち、パーソナルネットワーク装置４及びパーソナルネットワーク装置５を増加したが、パーソナルネットワークのカバレッジに限界があるので、新たに増加したパーソナルネットワーク装置４及びパーソナルネットワーク装置５がパーソナルネットワークに加入できないとすると、ユーザーＡが内部ゲートウェイを追加することによって当該パーソナルネットワークのカバレッジを拡張し、具体的には、
ユーザーＡがパーソナルネットワークのカバレッジ内に内部ゲートウェイを追加するステップ１と、
前記内部ゲートウェイがパーソナルネットワークゲートウェイと接続を確立するステップ２と、
内部ゲートウェイとそのカバレッジ内のパーソナルネットワーク装置４及びパーソナルネットワーク装置５とが互いに検出して接続を確立するステップ３と、
パーソナルネットワーク装置４及びパーソナルネットワーク装置５が内部ゲートウェイによってパーソナルネットワークに加入されるステップ４と、を含む。
【００２７】
実施例２
本実施例において、ユーザーＡの家にパーソナルネットワークがあり、図５の左側に示すように、１つのパーソナルネットワークゲートウェイ及び３つのパーソナルネットワーク装置を備える。
【００２８】
ユーザーＡが家に２つのパーソナルネットワーク装置を増加したが、パーソナルネットワークのカバレッジに限界があるので、パーソナルネットワークに加入できないとする。パーソナルネットワーク装置３が内部ゲートウェイの能力を持ち、前記内部ゲートウェイ能力は、主として、上記短距離通信能力、及びパーソナルネットワークゲートウェイとパーソナルネットワーク装置との間でデータを転送可能な能力を意味する。
【００２９】
パーソナルネットワークゲートウェイ、パーソナルネットワーク装置及び内部ゲートウェイの主な相違点について、パーソナルネットワークゲートウェイはインターネットとインタラクションすることが可能で、つまり、遠距離通信能力を持つとともに、短距離通信能力を持ち、パーソナルネットワーク装置は短距離通信能力しかを持たず、内部ゲートウェイは短距離通信能力及びパーソナルネットワーク装置とパーソナルネットワークゲートウェイとの通信データを転送する能力を持つが、遠距離通信能力を持たない。
【００３０】
このため、従来パーソナルネットワーク装置の能力を拡張すること、例えば、転送能力を増加することによって、内部ゲートウェイの機能を達成することができる。
【００３１】
本実施例において、ユーザーＡがパーソナルネットワーク装置の内部ゲートウェイ機能を活性化することによって当該パーソナルネットワークのカバレッジを拡張し、具体的には、
ユーザーＡがパーソナルネットワーク装置３の内部ゲートウェイ機能を活性化するステップ１と、
前記内部ゲートウェイがパーソナルネットワークゲートウェイと接続を確立するステップ２と、
内部ゲートウェイとそのカバレッジ内のパーソナルネットワーク装置４及びパーソナルネットワーク装置５とが互いに検出して接続を確立するステップ３と、
パーソナルネットワーク装置４及びパーソナルネットワーク装置５が内部ゲートウェイによってパーソナルネットワークに加入されるステップ４と、を含む。
【００３２】
実施例３
本実施例において、ユーザーＡの家にパーソナルネットワークがあり、図６の左側に示すように、１つのパーソナルネットワークゲートウェイ及び３つのパーソナルネットワーク装置を備える。
【００３３】
ユーザーＡが家に２つのパーソナルネットワーク装置を増加したが、パーソナルネットワークのカバレッジに限界があるので、パーソナルネットワークに加入できないとする。パーソナルネットワーク装置３が内部ゲートウェイの能力を持つので、ユーザーＡがパーソナルネットワーク装置３を内部ゲートウェイに切り替えて当該パーソナルネットワークのカバレッジを拡張し、具体的には、
ユーザーがパーソナルネットワーク装置３を内部ゲートウェイに切り替えるステップ１と、
前記内部ゲートウェイがパーソナルネットワークゲートウェイと接続を確立するステップ２と、
内部ゲートウェイとそのカバレッジ内のパーソナルネットワーク装置４及びパーソナルネットワーク装置５とが互いに検出して接続を確立するステップ３と、
パーソナルネットワーク装置４及びパーソナルネットワーク装置５が内部ゲートウェイによってパーソナルネットワークに加入されるステップ４と、を含む。
【００３４】
実施例４
本実施例において、ユーザーＡの家にパーソナルネットワークがあり、図７の左側に示すように、１つのパーソナルネットワークゲートウェイ及び３つのパーソナルネットワーク装置を備える。
【００３５】
ユーザーＡが家に２つのパーソナルネットワーク装置を増加したが、パーソナルネットワークのカバレッジに限界があるので、パーソナルネットワークに加入できないとする。パーソナルネットワーク装置３が内部ゲートウェイの能力を持つので、ユーザーＡがパーソナルネットワーク装置３を内部ゲートウェイ１に切り替えて当該パーソナルネットワークのカバレッジを拡張するが、それにしても、新たに追加した装置をカバーすることができないので、ユーザーＡが１つの新たな内部ゲートウェイ２をさらに追加してパーソナルネットワークのカバレッジをさらに拡張し、具体的には、
ユーザーがパーソナルネットワーク装置３を内部ゲートウェイ１に切り替えるステップ１と、
前記内部ゲートウェイ１がパーソナルネットワークゲートウェイと接続を確立するステップ２と、
ユーザーが内部ゲートウェイ２を追加するステップ３と、
前記内部ゲートウェイ２が内部ゲートウェイ１と接続を確立するステップ４と、
内部ゲートウェイ２とそのカバレッジ内のパーソナルネットワーク装置４及びパーソナルネットワーク装置５とが互いに検出して接続を確立するステップ５と、
パーソナルネットワーク装置４及びパーソナルネットワーク装置５が内部ゲートウェイ２及び内部ゲートウェイ１によってパーソナルネットワークに加入されるステップ６と、を含む。
【００３６】
また、本発明の実施例はパーソナルネットワークに用いられるパーソナルネットワークの内部ゲートウェイをさらに提供し、当該内部ゲートウェイは主として、
前記内部ゲートウェイとパーソナルネットワークのパーソナルネットワークゲートウェイとの接続を確立するための接続確立モジュールと、
前記内部ゲートウェイと前記パーソナルネットワークゲートウェイとが確立した接続によって、前記パーソナルネットワークのカバレッジ外のパーソナルネットワーク装置を前記パーソナルネットワークに加入するための制御モジュールと、を備える。
【００３７】
さらに、前記内部ゲートウェイは、
パーソナルネットワークのカバレッジ外のパーソナルネットワーク装置が前記パーソナルネットワークに加入された後、前記パーソナルネットワーク装置と前記パーソナルネットワークゲートウェイとの通信を転送するための通信転送モジュールをさらに備える。
【００３８】
さらに、前記接続確立モジュールはさらに、前記内部ゲートウェイのカバレッジ内のパーソナルネットワーク装置と短距離通信技術によって互いに検出して接続を確立することに用いられ、
前記短距離通信技術はブルートゥース、Ｚｉｇｂｅｅ又はＷＩＦＩを含むが、それらに限定されない。
【００３９】
さらに、前記接続確立モジュールはカスケードをサポートし、すなわち、前記内部ゲートウェイがそのほかの内部ゲートウェイによって前記パーソナルネットワークゲートウェイと接続を確立する。
【００４０】
さらに、前記内部ゲートウェイは、内部ゲートウェイ能力を持つゲートウェイ装置又はパーソナルネットワーク装置であり、
前記内部ゲートウェイ能力は少なくとも短距離通信能力及びデータ転送能力を含む。
【００４１】
以上は本発明の好ましい実施例に過ぎず、本発明を制限するものではなく、本発明はさまざまなそのほかの実施例を有してもよく、本発明の精神及びその趣旨を逸脱しない場合、当業者は本発明に基づいてさまざまな相応の変更及び変形を行うことができるが、これらの相応の変更及び変形はいずれも本発明の附する請求の範囲に属すべきである。
【００４２】
当然、当業者は、上記本発明の各モジュール又は各ステップが汎用の計算装置によって達成可能であり、それらが単独の計算装置に集積されてもよく、複数の計算装置からなるネットワークに分散されてもよく、それらが計算装置に実行可能なプログラムコードによって達成されてもよく、それにより、それらを記憶装置に記憶して計算装置で実行してもよく、ある場合、ここと異なる順番に表示又は記述されるステップを実行してもよく、或いはそれらをそれぞれ別々の集積回路モジュールに作製し、或いはそれらの複数のモジュール又はステップを単独の集積回路モジュールに作製して達成してもよい。このように、本発明は任意のハードウェアとソフトウェアの組合せに限定されない。
【産業上の利用可能性】
【００４３】
本発明の実施例は、従来パーソナルネットワークのカバレッジ内に内部ゲートウェイを追加すること、或いは従来パーソナルネットワーク装置の能力を拡張して内部ゲートウェイの機能を持たせることによって、パーソナルネットワークのカバレッジが拡張され、さらに多くのパーソナルネットワーク装置をカバーすることができ、それにより、ユーザーエクスペリエンスを向上させ、パーソナルネットワークの資源及び能力共有の利点を十分に発揮する。
【図１】
2014519736.tif 000003
【図２】
2014519736.tif 000004
【図３】
2014519736.tif 000005
【図４】
2014519736.tif 000006
【図５】
2014519736.tif 000007
【図６】
2014519736.tif 000008
【図７】
2014519736.tif 000009
【国際調査報告】
2014519736.tif 000010
2014519736.tif 000011
2014519736.tif 000012
2014519736.tif 000013
2014519736.tif 000014
2014519736.tif 000015